(57)【要約】      （修正有）【課題】歯槽骨の埋込穴に対し適正な方向に埋め込む作業を容易化できる歯科用インプラントのフィクスチャーを提供する。【解決手段】歯科用インプラントのフィクスチャー２０は、歯槽骨１５の埋込穴１３に埋め込まれる歯根部２１と、歯根部２１の後側に設けられたカラー部２２とを備え、歯根部２１では、先端側から、歯槽骨１５に当該歯根部２１を固定するためのスクリュー部２１ａと、外周面に凹凸が形成された凹凸部２１ｂとが設けられ、歯根部２１では、凹凸部２１ｂの外径が先端に向かって徐々に小さくなり、スクリュー部２１ａの外径が凹凸部２１ｂに比べて小さく、少なくとも凹凸部２１ｂの表面に、骨と結合する生体活性能を有する生体活性層が形成されている。【選択図】図４
2017080222.tif 000002
【特許請求の範囲】
【請求項１】
歯科用インプラントのフィクスチャーであって、
歯槽骨の埋込穴に埋め込まれる歯根部と、
前記歯根部の後側に設けられたカラー部とを備え、
前記歯根部では、先端側から、前記歯槽骨に当該歯根部を固定するためのスクリュー部と、外周面に凹凸が形成された凹凸部とが設けられ、
前記歯根部では、前記凹凸部の外径が先端に向かって徐々に小さくなり、前記スクリュー部の外径が前記凹凸部に比べて小さく、
少なくとも前記凹凸部の表面に、骨と結合する生体活性能を有する生体活性層が形成されていることを特徴とする、フィクスチャー。
【請求項２】
前記スクリュー部の長さは、前記歯根部の長さの半分以下であることを特徴とする、請求項１に記載のフィクスチャー。
【請求項３】
請求項１又は２の何れか１つに記載のフィクスチャーと、前記フィクスチャーの後側に設けられるアバットメントとを備えた歯科用インプラント。
【請求項４】
歯科用インプラントのフィクスチャーを埋め込む埋込穴を歯槽骨に形成するための歯科用ドリルであって、
前記歯槽骨を削る刃を有し、先端に向かって外径がテーパ状に細くなるドリル本体部と、
前記歯槽骨を削る刃を有し、前記ドリル本体部の先端に連続して該ドリル本体部と同軸に設けられ、外径が先端に向かってテーパ状に細くなり、テーパ角が前記ドリル本体部よりも大きいドリル先端部とを備え、
前記ドリル本体部と前記ドリル先端部との境界では、外径が互いに略等しくなっていることを特徴とする、歯科用ドリル。
【請求項５】
歯科用インプラントのフィクスチャーを埋め込む埋込穴を歯槽骨に形成するための歯科用ドリルであって、
前記歯槽骨を削る刃を有し、外径が先端に向かって徐々に細くなるドリル本体部と、
前記歯槽骨を削る刃を有し、前記ドリル本体部の先端に連続して該ドリル本体部と同軸に設けられたドリル先端部とを備え、
前記ドリル本体部と前記ドリル先端部との境界では、前記ドリル本体部の外径に比べて前記ドリル先端部の外径が小さいことで段差部が形成されていることを特徴とする、歯科用ドリル。
【発明の詳細な説明】
【技術分野】
【０００１】
本発明は、義歯の装着に使用される歯科用インプラントのフィクスチャー等に関する。
【背景技術】
【０００２】
従来から、歯科用インプラントとして各種の構造のものが使用されている。多くの歯科用インプラントは、歯槽骨に埋め込まれるフィクスチャーにスクリュー部が設けられている。フィクスチャーを歯槽骨に埋め込む場合、予め歯槽骨に形成された埋込穴にスクリュー部がねじ込まれる。
【０００３】
特許文献１には、歯科用インプラントのフィクスチャーが記載されている。フィクスチャーの端部には、先細の側面を備えたカラー部が設けられている。フィクスチャーでは、カラー部を除く範囲が、スクリュー部となっている。
【先行技術文献】
【特許文献】
【０００４】
【特許文献１】特開２０１５−１３６４２８号公報
【発明の概要】
【発明が解決しようとする課題】
【０００５】
ところで、従来のフィクスチャーは、スクリュー部のネジ山数が比較的多い。そのため、フィクスチャーを歯槽骨に埋め込んだ時点から、フィクスチャーは強固に歯槽骨に結合される。しかし、フィクスチャーのネジ止めに多く回転数を要する。そのため、ネジ止めの過程でフィクスチャーの方向がずれやすく、フィクスチャーを適正な方向に埋め込む作業が容易ではない。
【０００６】
本発明は、このような事情に鑑みてなされたものであり、歯槽骨の埋込穴に対し適正な方向に埋め込む作業を容易化できる歯科用インプラントのフィクスチャーを提供することを目的とする。
【課題を解決するための手段】
【０００７】
上述の課題を解決するべく、第１の発明は、歯科用インプラントのフィクスチャーであって、歯槽骨の埋込穴に埋め込まれる歯根部と、歯根部の後側に設けられたカラー部とを備え、歯根部では、先端側から、歯槽骨に当該歯根部を固定するためのスクリュー部と、外周面に凹凸が形成された凹凸部とが設けられ、歯根部では、凹凸部の外径が先端に向かって徐々に小さくなり、スクリュー部の外径が凹凸部に比べて小さく、少なくとも凹凸部の表面に、骨と結合する生体活性能を有する生体活性層が形成されている、フィクスチャーである。
【０００８】
第１の発明では、歯根部において先端側のスクリュー部の外径がその後側の凹凸部よりも小さい。そのため、埋込穴におけるスクリュー部の埋設領域の手前の位置にスクリュー部が到達して、フィクスチャーの先端が埋込穴の内周面に当接するまで、スクリュー部のねじ込みを要することなく、フィクスチャーを埋込穴に途中まで挿入できる。そして、その位置からフィクスチャーを回転させることで、スクリュー部を埋込穴の内周面に食い込ませてネジ止めすることができる。歯根部にはスクリュー部に加えて凹凸部を設けているため、従来に比べてスクリュー部の長さが短い。従って、従来に比べてネジ止めに要する回転数が少なくなる。
【０００９】
スクリュー部をネジ止めした直後、フィクスチャーは、スクリュー部のネジ山によって歯槽骨に固定される。ここで、例えば凹凸部の外径が先端ほど細くなるテーパ状の場合、埋込穴のうち少なくとも凹凸部の埋設領域の内周面を、その凹凸部と略同じ形状及び大きさのテーパ面に形成しておけば、そのテーパ面に凹凸部の凸部の先端が接触する。このようにすれば、フィクスチャーをネジ止めした直後において、スクリュー部による初期固定力とテーパ面による接触保持力とによりフィクスチャーは歯槽骨に保持される。そして、埋設後時間が経過するに従って、凹凸部の表面に施した生体活性処理により凹凸部の外周面が歯槽骨に結合する。凹凸部では、外周面が平坦な場合より表面積が大きく、強固な長期固定力を獲得することができる。フィクスチャーは、歯根部が歯槽骨に強固に固定される。第１の発明によれば、必要な初期固定・保持力及び長期固定力を確保しつつ、従来に比べて少ない回転数でスクリュー部を歯槽骨の埋込穴にネジ止めすることができる。なお、凹凸部の外径は先端に向かって徐々に小さくなっていればよく、凹凸部はテーパ状に細くなる形態に限定されない。また、凹凸部について、例えば凹部として洞窟のような穴を無数に形成する場合もあるなど、固定力を高める各種の凹部形成手段を用いることが可能である。凹部を洞窟状にした場合、凹部に骨が侵入することにより、強固な長期固定力を早期に獲得することができる。
【００１０】
また、第２の発明は、第１の発明において、スクリュー部の長さが、歯根部の長さの半分以下である。第２の発明では、カラー部を除く範囲がスクリュー部となっている従来のフィクスチャーに比べて、スクリュー部が大幅に短くなり、より少ない回転数でスクリュー部を歯槽骨の埋込穴にネジ止めすることができる。
【００１１】
また、第３の発明は、第１又は２の発明のフィクスチャーと、フィクスチャーの後側に設けられるアバットメントとを備えた歯科用インプラントである。
【００１２】
また、第４の発明は、歯科用インプラントのフィクスチャーを埋め込む埋込穴を歯槽骨に形成するための歯科用ドリルであって、歯槽骨を削る刃を有し、先端に向かって外径がテーパ状に細くなるドリル本体部と、歯槽骨を削る刃を有し、ドリル本体部の先端に連続して該ドリル本体部と同軸に設けられ、外径が先端に向かってテーパ状に細くなり、テーパ角がドリル本体部よりも大きいドリル先端部とを備え、ドリル本体部とドリル先端部との境界では、外径が互いに略等しくなっている、歯科用ドリルである。
【００１３】
第４の発明では、ドリル先端部によって埋込穴における底側の部分が形成され、ドリル本体部によって埋込穴における底側の部分よりも開口側の部分が形成される。底側の部分は、ドリル先端部の形状に対応し、穴底へ向かってテーパ状に細くなる。開口側の部分は、ドリル本体部の形状に対応し、穴底へ向かってテーパ状に細くなる。ドリル本体部とドリル先端部との境界では外径が互いに略等しく、ドリル先端部のテーパ角がドリル本体部のテーパ角よりも大きい。そのため、開口側の部分と底側の部分との境界に段差部がなく、底側の部分のテーパ角が開口側の部分に比べて大きい埋込穴を形成することができる。
【００１４】
例えば、フィクスチャーのスクリュー部に比べてドリル先端部を僅かに小さくして、さらにフィクスチャーの凹凸部に対してドリル本体部の形状及び大きさを略同じにすることで、埋込穴の底側の部分におけるテーパ状の内周面にスクリュー部が食い込み、さらに開口側の部分におけるテーパ状の内周面で凹凸部を接触保持する埋込穴を形成できる。第４の発明では、例えば下穴の形成後に、１つの歯科用ドリルによる１回の開削作業によって、上述したような底側の部分及び開口側の部分を形成できる。また、埋込穴では、開口側の部分と底側の部分との境界に、スクリュー部が引っ掛かる段差部ができないため、底側の部分の入口側でスクリュー部をスムーズに食い込ませることができる。
【００１５】
また、第５の発明は、歯科用インプラントのフィクスチャーを埋め込む埋込穴を歯槽骨に形成するための歯科用ドリルであって、歯槽骨を削る刃を有し、外径が先端に向かって徐々に細くなるドリル本体部と、歯槽骨を削る刃を有し、ドリル本体部の先端に連続してドリル本体部と同軸に設けられたドリル先端部とを備え、ドリル本体部とドリル先端部との境界では、ドリル本体部の外径に比べてドリル先端部の外径が小さいことで段差部が形成されている、歯科用ドリルである。
【００１６】
第５の発明では、第４の発明と同様に、例えば下穴の形成後に、１つの歯科用ドリルによる１回の開削作業によって、スクリュー部が食い込む底側の部分と、凹凸部を接触保持する開口側の部分とを形成できる。
【発明の効果】
【００１７】
第１乃至第３の各発明によれば、必要な初期固定・保持力及び長期固定力を確保しつつ、従来に比べて少ない回転数でスクリュー部をネジ止めできる。そのため、ネジ止めの過程でフィクスチャーの方向がずれにくく、歯槽骨の埋込穴に対し適正な方向にフィクスチャーを埋め込む作業を容易化できる。
【００１８】
第４及び第５の各発明によれば、１つの歯科用ドリルによる１回の開削作業によって、スクリュー部が食い込む底側の部分と、凹凸部を接触保持する開口側の部分とを形成できる。従って、これらの部分を別々のドリルで形成する場合に比べて、精度良く容易に埋込穴を形成できる。また、第４の発明によれば、上述したように、底側の部分の入口側でスクリュー部をスムーズに食い込ませることができる埋込穴を形成できる。
【図面の簡単な説明】
【００１９】
【図１】実施の形態に係る歯科用インプラントの側面図
【図２】実施の形態に係る歯科用インプラント専用の歯科用ドリルの側面図
【図３】実施の形態に係る歯科用インプラントを埋め込む埋込穴の形成手順を説明するための歯槽骨の断面図
【図４】実施の形態に係る歯科用インプラントの設置手順を説明するための図
【図５】変形例に係る歯科用インプラントの側面図
【図６】変形例に係る歯科用インプラント専用の歯科用ドリルの側面図
【図７】２つのテーパドリルを使用して埋込穴を形成する手順を説明するための図
【発明を実施するための形態】
【００２０】
以下、図１−図４を参照しながら、本発明の一例である実施の形態について詳細に説明する。
【００２１】
［１．歯科用インプラントの構成について］
歯科用インプラント１０は、義歯１１の装着に使用されるインプラントである。歯科用インプラント１０は、歯槽骨１５に固定されるフィクスチャー２０と、フィクスチャー２０の後側に設けられたアバットメント３０とを備えている。なお、本実施の形態では、歯科用インプラント１０が、フィクスチャー２０とアバットメント３０とが一体の１ピース型であるが、フィクスチャー２０とアバットメント３０とが別体の２ピース型であってもよい。２ピース型の場合、例えばフィクスチャー２０の後端に、アバットメント３０を取り付けるためのネジ穴（図示省略）が形成される。
【００２２】
フィクスチャー２０は、図１に示すように、先端の方が細くなるテーパ状に形成されることを基本とする。フィクスチャー２０は、歯槽骨１５に埋め込まれる歯根部２１と、歯根部２１の後側（先端とは反対側）に設けられて歯槽骨１５を覆う歯肉部１６に接触するカラー部２２とを備えている。歯根部２１には、歯槽骨１５の埋込穴１３に埋め込まれる際に埋込穴１３の内周面に食い込むスクリュー部２１ａ（雄ネジ部分）が設けられている。
【００２３】
フィクスチャー２０の基材には、歯槽骨１５との親和性を有するチタン系の金属材料が用いられている。フィクスチャー２０の基材には、従来純チタンが広く用いられているが、破損を防ぎ安心して人工歯根を使用できるようにするためには、生体適合性を備えた高強度チタン合金（例えば、Ｔｉ−１５Ｍｏ−５Ｚｒ−３Ａｌ）を用いることが有利である。この場合、フィクスチャー２０の強度が高く、従来に比べてフィクスチャー２０の直径を細くすることもできる。例えば、フィクスチャー２０の直径を２．５ｍｍにすることができる。荷重が小さい前歯のフィクスチャー２０であれば、さらに直径を小さくできる。但し、フィクスチャー２０の直径は、この寸法に限定されない。なお、フィクスチャー２０の基材には、Ｔｉ−６Ａｌ−４Ｖなどの他の材料を用いることもできる。
【００２４】
歯根部２１は、全体が歯槽骨１５に埋め込まれる。歯根部２１には、先端側から順番に、上述のスクリュー部２１ａと、複数の凹凸が外周面に形成された凹凸部２１ｂとが設けられている。スクリュー部２１ａの長さは、図１に示すように、歯根部２１の長さの半分以下であることが好ましく、ネジ山数が２〜３程度の長さであることがさらに好ましい。歯根部２１では、先端側だけにスクリュー部２１ａが設けられている。
【００２５】
スクリュー部２１ａは、歯槽骨１５に対する固定力として、初期固定力を発揮する部分である。スクリュー部２１ａには、螺旋状にネジ山２３が形成されており、そのネジ山数は特に限定するものでは無い。本実施の形態では、ネジ山数が３つであるが、４つ以上であってもよいし、２つ以下であってもよい。埋設時のねじ込む手間と有効な固定力とを考えると、ネジ山数は２〜３が好適である。なお、ネジ山数は、スクリュー部２１ａの周方向で、最もネジ山２３が少ない位置でカウントする。例えば、ネジ山２３が螺旋状に３周半形成されている場合、ネジ山数は３つである。
【００２６】
また、スクリュー部２１ａは、セルフタップ式のスクリューにより構成されている。つまり、スクリュー部２１ａには、セルフタップをできるように、３つのネジ山２３に跨って縦溝２４が形成されている。縦溝２４は、スクリュー部２１ａの周方向において２箇所に形成されている。なお、縦溝２４は、１箇所に形成してもよいし、３箇所以上形成してもよい。また、縦溝２４の側面におけるネジ山２３の稜線が刃先となるように、縦溝２４は、角度付きの溝になっており、両側面が同じ側に傾斜している。
【００２７】
凹凸部２１ｂは、生体活性層２６を介して歯槽骨１５に結合し、長期固定力を発揮する部分である。凹凸部２１ｂには、スクリュー部とは異なる形態の凹凸であって、スクリューとして機能しない凹凸が形成されている。図１では、凹凸部２１ｂは、ショットブラスト加工や酸処理により外周面に微細な凹凸が形成された粗面部となっている。凹凸部２１ｂは、その表面が生体活性処理により骨伝導能を有するので、埋設後には経時的に凹凸部２１ｂ全体が歯槽骨１５に取り囲まれた状態になる。凹凸部２１ｂの凸部は、後述する第２テーパ面４２に接する。なお、凹凸部２１ｂの外周面は、微細な溝（例えば、ネジとして機能しない微細な螺旋状の溝）による粗面であってもよいし、複数の窪み（例えば、円形の窪み、エクボ状の窪み）による粗面であってもよい。
【００２８】
歯根部２１の外径について説明する。歯根部２１の外径は、長さ方向に亘って先端に向かってテーパ状に細くなっている。歯根部２１のテーパ角は、例えば４°である（テーパ面と軸心とのなす角度は２°）。つまり、歯根部２１の外径（ネジ山２３の頂上、又は、凸部の先端における直径）は、歯根部２１の先端に近づくに従って一定の割合で小さくなっている。歯根部２１では、スクリュー部２１ａの外径が凹凸部２１ｂに比べて小さく、スクリュー部２１ａの外径が最も小さい。そのため、図３（ｂ）に示す埋込穴１３の穴底の少し手前の位置にスクリュー部２１ａが到達するまで、抵抗を受けることなくフィクスチャー２０を埋込穴１３に挿入できる。
【００２９】
歯根部２１の基材の表面には、骨と結合する生体活性能を有する生体活性層２６が形成されている。生体活性層２６は、歯根部２１の基材の表面に対し、生体活性処理を行うことによって形成される。生体活性処理の手法としては、化学処理及び加熱処理などを順次行う手法がある。その一例として、６０℃の１Ｍ ＮａＯＨ溶液に２４時間浸漬した後に、４０℃の１００ｍＭ ＣａＣｌ２溶液に２４時間浸漬する。そののちに大気中で６００℃に１時間の加熱を行い、さらに８０℃の温水に２４時間浸漬すると、体液中で表面に水酸アパタイトが析出する、いわゆる生体活性層が形成される。他の手法としては、特許第５２２５４８２号公報に記載された手法などを用いることもできる。なお、本実施の形態では、歯根部２１の全表面に生体活性層２６を形成しているが、少なくとも凹凸部２１ｂに生体活性層２６を形成させるだけでもよい。歯根部２１の表面に生体活性層２６が形成されているため、フィクスチャー２０を歯槽骨１５に埋め込むと、歯根部２１の表面にアパタイトが析出する。このアパタイトを介して歯根部２１は歯槽骨１５と強固に結合される。
【００３０】
カラー部２２は、歯根部２１に向かって窄まるテーパ状の外周面を有する略円錐台状に形成されている。カラー部２２の外周面には、鏡面仕上げ加工が施されている。カラー部２２は、歯槽骨１５及び歯肉部１６に接触して、術後の感染などを防止する働きがある。カラー部２２の上部は、歯肉部１６から少し突出する。
【００３１】
アバットメント３０は、義歯１１が装着される部分である。アバットメント３０は、下部が略円錐台状に形成され、上部が略楕円柱状に形成されている。なお、アバットメント３０の形状は、この形状に限定されない。
【００３２】
［２．歯科用ドリルについて］
歯槽骨１５に込穴１３を形成するには、図２に示す歯科用インプラント１０専用の歯科用ドリル５０を使用することができる。歯科用ドリル５０について説明する。
【００３３】
歯科用ドリル５０は、歯槽骨１５に埋込穴１３を形成するための棒状のドリルである。歯科用ドリル５０は、下穴用細径ドリル（パイロットドリル）によって形成された下穴４０（図３（ａ）参照）の開削に使用される。
【００３４】
歯科用ドリル５０は、ドリル本体部５１と、ドリル本体部５１の先端に連続してドリル本体部５１と同軸に設けられたドリル先端部５２と、ドリル本体部５１の後側に設けられてデンタルハンドピース１８の回転軸が連結される後端部５３とを備えている。ドリル本体部５１及びドリル先端部５２の各々は、歯槽骨１５を削る刃を有する。ドリル先端部５２の長さは、ドリル本体部５１に比べて短く、その長さはフィクスチャー２０先端のスクリュー部２１ａの長さよりわずかに長い程度で良い。例えば、ドリル先端部５２の長さは、ドリル本体部５１の長さの半分以下である。なお、刃の形状は、特に限定されない。
【００３５】
ドリル本体部５１は、歯根部２１のうちスクリュー部２１ａ以外の部分の埋設領域を形成する部位である。ドリル本体部５１は、長さ方向に亘って先端に向かって外径（刃の外端における直径）がテーパ状に細くなっている。ドリル本体部５１のテーパ角は、例えば４°である（テーパ面と軸心とのなす角度は２°）。歯根部２１と比べた場合、ドリル本体部５１は、歯根部２１のうちスクリュー部２１ａ以外の部分と形状及び大きさが略同じである。
【００３６】
また、ドリル先端部５２は、歯根部２１のうちスクリュー部２１ａの埋設領域を形成する部位である。ドリル先端部５２は、長さ方向に亘って先端に向かって外径がテーパ状に細くなっている。ドリル本体部５１とドリル先端部５２との境界では、ドリル先端部５２の外径は、ドリル本体部５１の外径に等しい。ドリル先端部５２は、ドリル本体部５１に比べてテーパ角（歯科用ドリル５０を側面から見て、左右のテーパ面に挟まれた角度）が大きくなっている。歯根部２１と比べた場合、ドリル先端部５２の長さは、スクリュー部２１ａと略同じである。また、ドリル先端部５２の外径は、スクリュー部２１ａの内径（谷径）より僅かに大きく、スクリュー部２１ａの外径（山径）よりも小さい。
【００３７】
［３．埋込穴の形成手順について］
続いて、図３を参照して、歯槽骨１５に埋込穴１３を形成する手順について説明をする。なお、歯槽骨１５は、皮質骨１５ａと海面骨１５ｂとから構成されている。図３では、皮質骨１５ａの上側の歯肉部１６の記載は省略している。
【００３８】
まず歯槽骨１５の頂面をラウンドドリルで平滑化する。続いて、パイロットドリルとして、下穴用細径ドリル（図示省略）を用いて、図３（ａ）に示すように、フィクスチャー２０の埋め込みに必要な深さ（カラー部２２の途中までフィクスチャー２０を埋め込める深さ）まで下穴４０を形成する。例えば、下穴４０は、深さ方向に一定の直径で形成される。
【００３９】
続いて、歯科用ドリル５０を用いて、下穴４０における穴底近傍以外の内周面を削る（下穴４０を開削する）。これにより、図３（ｂ）に示す埋込穴１３の形成が完了する。
【００４０】
埋込穴１３は、ドリル先端部５２によって底側の部分１３ａが形成され、ドリル本体部５１によって底側の部分１３ａよりも開口側の部分１３ｂが形成される。底側の部分１３ａは、ドリル先端部５２の形状に対応し、穴底へ向かってテーパ状に細くなる。底側の部分１３ａの内周面は、第１テーパ面４１を構成する。開口側の部分１３ｂは、ドリル本体部５１の形状に対応し、穴底へ向かってテーパ状に細くなる。開口側の部分１３ｂの内周面は、第２テーパ面４２を構成する。
【００４１】
歯根部２１と比較した場合、底側の部分１３ａの直径は、スクリュー部２１ａの外径より僅かに小さい。開口側の部分１３ｂの直径は、スクリュー部２１ａの外径よりも大きい。埋込穴１３では、開口側の部分１３ｂと底側の部分１３ａとの境界に段差部がなく、底側の部分１３ａのテーパ角（図３（ｂ）に示す縦断面において、埋込穴１３の各テーパ面に挟まれた角度）が開口側の部分１３ｂに比べて大きくなっている。そのため、スクリュー部２１ａをネジ止めする際に、底側の部分１３ａの入口側でスクリュー部２１ａが歯槽骨１５に当たることなく、第１テーパ面４１にセルフタップ式のスクリュー部２１ａをスムーズに食い込ませることができる。
【００４２】
開口側の部分１３ｂは、凹凸部２１ｂの埋設領域となる。開口側の部分１３ｂの内周面は、凹凸部２１ｂと略同じ形状及び大きさのテーパ面であるため、凹凸部２１ｂの凸部が第２テーパ面４２に接触する。
【００４３】
［４．フィクスチャーの埋め込みについて］
フィクスチャー２０は、手でフィクスチャー２０を回転させて埋込穴１３に埋め込まれる。具体的に、まず、図４（ａ）に示すように、フィクスチャー２０のスクリュー部２１ａが第１テーパ面４１に当たる位置までフィクスチャー２０を埋込穴１３に挿入する。フィクスチャー２０は、この位置（例えば、埋込穴１３の深さの約９０％の位置）まで抵抗なく挿入できる。そして、埋込穴１３に対してフィクスチャー２０が真っすぐになるようにフィクスチャー２０の方向を合わせた状態にして、フィクスチャー２０を回転させる。そうすると、スクリュー部２１ａにおける縦溝２４部分の刃先によって第１テーパ面４１が削られ、第１テーパ面４１にネジ山２３がセルフタップで食い込み、埋込穴１３の穴底に向かってフィクスチャー２０が進む。フィクスチャー２０を２回転又は３回転させると、図４（ｂ）に示すように、フィクスチャー２０の先端が埋込穴１３の穴底に当たり、フィクスチャー２０の埋め込み作業は完了する。
【００４４】
この状態では、フィクスチャー２０は、スクリュー部２１ａのネジ山２３によって埋込穴１３に固定されている。フィクスチャー２０の埋め込み直後の初期固定力は、図４（ｂ）の拡大図に示すように、スクリュー部２１ａのネジ山２３が埋込穴１３の第１テーパ面４１に食い込むことで発揮される。また、凹凸部２１ｂは、凸部の頂部が第２テーパ面４２に当接している。フィクスチャー２０は、第２テーパ面４２によって接触保持もされる。
【００４５】
上述したように、歯根部２１には生体活性層２６が形成されている。そのため、埋込作業の完了後に歯根部２１の表面にアパタイトが析出し、同時に骨伝導により歯槽骨１５が凹凸部２１ｂと第２テーパ面４２との隙間に成長・侵入する。また、スクリュー部２１ａの表面はその表面に析出したアパタイトを介して骨と直接結合する。したがって、歯槽骨１５に対する歯根部２１の固定力が増大し、歯根部２１は歯槽骨１５と強固に結合される。隙間が成長・侵入した歯槽骨１５によって埋められた後の長期固定力は、初期固定力よりも大きくなる。アバットメント３０は、図４（ｃ）に示すように、フィクスチャー２０の埋め込みから所定の期間経過した後（固定力が増大した後）に取り付けられ、そのアバットメント３０に義歯１１が装着される。
【００４６】
［５．実施の形態の効果等］
本実施の形態では、必要な初期固定・保持力及び長期固定力を確保しつつ、少しの回転でスクリュー部２１ａをネジ止めできる。そのため、ネジ止めの過程でフィクスチャー２０の方向がずれにくく、歯槽骨１５の埋込穴１３に対し適正な方向にフィクスチャー２０を容易に埋め込むことができる。
【００４７】
また、本実施の形態では、スクリュー部２１ａのネジ山数が少ないため、フィクスチャー２０の取り外しが容易である。埋め込み時とは逆方向に２回転又は３回転させることで、容易に義歯１１を抜歯できる。
【００４８】
また、本実施の形態では、凹凸部２１ｂにおける凹部の底から凸部の先端までの高さが、スクリュー部２１ａのネジ山２３の高さよりも低い。従って、上述の骨伝導により隙間が埋められるまでの時間が短くなり、強固な長期固定力を早期に獲得することができる。
【００４９】
また、本実施の形態では、１つの歯科用ドリル５０による１回の開削作業によって、スクリュー部２１ａが食い込む底側の部分１３ａと、凹凸部２１ｂを接触保持する開口側の部分１３ｂとを形成できる。従って、これらの部分を別々のドリルで形成する場合に比べて、精度良く容易に埋込穴１３を形成できる。また、上述したように、底側の部分１３ａの入口側でスクリュー部２１ａをスムーズに食い込ませることができる埋込穴１３を形成できる。
【００５０】
［６．フィクスチャーの変形例］
上述の実施の形態では、歯根部２１の凹凸部が１つの形態の凹凸部２１ｂにより構成されているが、形態が互いに異なる凹凸部により構成してもよい。図５では、スクリュー部２１ａ側から、周方向の溝が形成された第１凹凸部２１ｂ−１と、上述の実施の形態の凹凸部２１ｂと同じ形態の第２凹凸部２１ｂ−２とが設けられている。なお、第１凹凸部２１ｂ−１の凸部の形態は、他の形態（例えば、ギザギザの溝により形成した凸部、縦方向の溝により形成した凸部等）であってもよい。また、歯根部２１の凹凸部を１つの形態の凹凸部により構成する場合において、第１凹凸部２１ｂ−１と同じ形態の凹凸部を採用してもよい。
【００５１】
上述の実施の形態では、スクリュー部２１ａの外径がテーパ状に細くなっているが、スクリュー部２１ａの外径は長さ方向に一定であってもよい。
【００５２】
上述の実施の形態では、凹凸部２１ｂの外径が、先端に向かってテーパ状に細くなっているが、凹凸部２１ｂの外径は、先端に向かって徐々に細くなっていればよい。例えば、側面視で凹凸部２１ｂの側面が先端に向かって曲線状に細くなっていてもよいし、凹凸部２１ｂの途中又は後側に外径が一定の部分が設けられていてもよい。
【００５３】
上述の実施の形態では、スクリュー部２１ａの後側に連続して凹凸部を設けているが、スクリュー部２１ａと凹凸部との間に、外周面に凹凸がない中間部を設けてもよい。
【００５４】
［７．歯科用ドリルの変形例］
歯科用インプラント１０専用の歯科用ドリルとしては、図６（ａ）に示す歯科用ドリル５０を用いることもできる。この歯科用ドリル５０は、ドリル先端部５２が、実施の形態の歯科用ドリルとは異なる。ドリル本体部５１とドリル先端部５２との境界では、ドリル本体部５１の外径に比べてドリル先端部５２の外径が小さいことで段差部５５が形成されている。なお、ドリル先端部５２のテーパ角は、ドリル本体部５１と同じであってもよいし、ドリル本体部５１よりも大きくてもよい。また、ドリル本体部５１の外径は、先端に向かって徐々に細くなっていればよく、例えば、側面視でドリル本体部５１の側面が先端に向かって曲線状に細くなっていてもよいし、ドリル本体部５１の途中又は後側に外径が一定の部分が設けられていてもよい。
【００５５】
歯科用ドリル５０を用いることで、図６（ｂ）に示す埋込穴１３を形成することができる。なお、図６（ｂ）は、図６（ａ）に比べて拡大して記載している。埋込穴１３の内面には、段差部６５が形成される。段差部６５より底側の部分１３ａ（内周面が第１テーパ面４１の部分）の直径、及び、段差部６５より開口側の部分１３ｂ（内周面が第２テーパ面４２の部分）の直径は、穴底に近づくに従って徐々に小さくなる。埋込穴１３では、底側の部分１３ａの直径が、開口側の部分１３ｂの直径に比べて小さい。そのため、スクリュー部２１ａの各ネジ山２３を底側の部分１３ａに食い込ませることができる。
【００５６】
なお、埋込穴１３は、２つのテーパドリルを用いて形成することもできる。この場合、図７（ａ）に示す下穴４０を形成した後に、外径が先端側ほど小さくなる第１テーパドリルを用いて、下穴４０における穴底近傍以外の内周面を削り（下穴４０を開削し）、図７（ｂ）に示すように、第１テーパ面４１を形成する。続いて、第１テーパドリルよりも一回り大きく外径が先端側ほど小さくなる第２テーパドリルを用いて、第１テーパ面４１を削り、図７（ｃ）に示すように、第２テーパ面４２を形成する。
【産業上の利用可能性】
【００５７】
本発明は、義歯の装着に使用される歯科用インプラントのフィクスチャー等に適用可能である。
【符号の説明】
【００５８】
１０    歯科用インプラント
１３    埋込穴
１５    歯槽骨
２０    フィクスチャー
２１    歯根部
２１ａ  スクリュー部
２１ｂ  凹凸部
２２    カラー部
３０    アバットメント
【図１】
2017080222.tif 000003
【図２】
2017080222.tif 000004
【図３】
2017080222.tif 000005
【図４】
2017080222.tif 000006
【図５】
2017080222.tif 000007
【図６】
2017080222.tif 000008
【図７】
2017080222.tif 000009